(57)【特許請求の範囲】
【請求項１】
前後方向と、横方向とを有し、レンズ部材と、前記レンズ部材を前側から被覆するフレーム部材と、前記レンズ部材の後方に取り付けられたパッド部材とを有する一対のアイカップを含むスイミングゴーグルにおいて、
前記レンズ部材は、レンズ部と、前記レンズ部の外周縁から後方へ延びる後方周壁部と、前記後方周壁部の後方に位置するフランジ部とを有し、
前記パッド部材は、前記レンズ部材の前記フランジ部に取り付けられた円筒部と、前記円筒部の後方に位置する環状の接顔部とを有し、
前記接顔部のうちの前記横方向における外側部分にのみ、隆起部が位置していることを特徴とする前記ゴーグル。
【請求項２】
前記隆起部の一部は、前記フレーム部材の前記横方向における外側部と離間対向する請求項１に記載のゴーグル。
【請求項３】
前記パッド部材の前記円筒部は、前記レンズ部材の前記フランジ部を被覆する前側部分と、前記前側部分と前記接顔部との間に位置する後側部分とを有し、
前記後側部分における上側部位の厚さ寸法が、前記後側部分における下側部位の厚さ寸法よりも小さい請求項１又は２に記載のゴーグル。
【請求項４】
前記接顔部の前記横方向における内側部分には、前記接顔部の他の部分に比して剛性の低い低剛性域が位置する請求項１〜３のいずれかに記載のゴーグル。
【請求項５】
前記低剛性域は、前記接顔部の周方向へ間隔を空けて並ぶ複数の凹部から形成される請求項４に記載のゴーグル。
【請求項６】
前記複数の凹部は、前記低剛性域の中心側から前記周方向の外側へいくにつれて次第に面積が小さくなる請求項５に記載のゴーグル。
【発明の詳細な説明】
【技術分野】
【０００１】
本発明は、スイミングゴーグルに関する。
【背景技術】
【０００２】
特許文献１には、レンズ部とフレーム部とを有する一対のアイカップと、アイカップに取り付けられたパッド部材とを含むゴーグル本体と、ゴーグル本体の両側を連結するヘッドストラップとを備えたスイミングゴーグルが開示されている。
【先行技術文献】
【特許文献】
【０００３】
【特許文献１】特開２０１４−１７１７１７号公報
【発明の概要】
【発明が解決しようとする課題】
【０００４】
特許文献１に開示のスイミングゴーグルは、硬質材料から形成されたアイカップに軟質材料から形成されたパッド部材が取り付けられていることから、アイカップが顔面に直接当接される場合に比べて肌当たりがよく、肌に圧迫跡が付きにくくなる。
【０００５】
しかしながら、パッド部材が柔軟材料から形成されているから、使用中に水抵抗によって顔面の所定の位置からスイミングゴーグルがずれてしまうおそれがある。特に、スイミングゴーグルが競泳用の場合には、比較的に大きな水抵抗が発生し、所定の位置からずれることによって装着感が低下し、競技に影響を及ぼすおそれがある。また、パッド部材における横方向の外側部は、ゴーグル本体とヘッドストラップとが連結する部分であって、かつ、着用したときに着用者の耳部に近接していることから、ゴーグル本体及び／又はヘッドストラップと顔面との間に隙間が生じて、水抵抗を受けやすくなる。
【０００６】
本発明の課題は、従来のスイミングゴーグルの改良であって、パッド部材によって肌当たりが良好であって、かつ、使用中に位置ずれしにくいスイミングゴーグルの提供にある。
【課題を解決するための手段】
【０００７】
本発明は、前後方向と、横方向とを有し、レンズ部材と、前記レンズ部材を前側から被覆するフレーム部材と、前記レンズ部材の後方に取り付けられたパッド部材とを有する一対のアイカップを含むスイミングゴーグルに関する。
【０００８】
本発明に係るスイミングゴーグルは、前記レンズ部材は、レンズ部と、前記レンズ部の外周縁から後方へ延びる後方周壁部と、前記後方周壁部の後方に位置するフランジ部とを有し、前記パッド部材は、前記レンズ部材の前記フランジ部に取り付けられた円筒部と、前記円筒部の後方に位置する環状の接顔部とを有し、前記接顔部のうちの前記横方向における外側部分にのみ、隆起部が位置していることを特徴とする。
【０００９】
本発明に係るスイミングゴーグルの実施態様の一つにおいて、前記隆起部の一部は、前記フレーム部材の前記横方向における外側部と離間対向する。
【００１０】
本発明に係るスイミングゴーグルの他の実施態様の一つにおいて、前記パッド部材の前記円筒部は、前記レンズ部材の前記フランジ部を被覆する前側部分と、前記前側部分と前記接顔部との間に位置する後側部分とを有し、前記後側部分における上側部位の厚さ寸法が、前記後側部分における下側部位の厚さ寸法よりも小さい。
【００１１】
本発明に係るスイミングゴーグルのさらに他の実施態様の一つにおいて、前記接顔部の前記横方向における内側部分には、前記接顔部の他の部分に比して剛性の低い低剛性域が位置する。
【００１２】
本発明に係るスイミングゴーグルのさらに他の実施態様の一つにおいて、前記低剛性域は、前記接顔部の周方向へ間隔を空けて並ぶ複数の凹部から形成される。
【００１３】
本発明に係るスイミングゴーグルのさらに他の実施態様の一つにおいて、前記複数の凹部は、前記低剛性域の中心側から前記周方向の外側へいくにつれて次第に面積が小さくなる。
【発明の効果】
【００１４】
本発明に係るスイミングゴーグルによれば、着用中に顔面との間に隙間が生じやすいパッド部材の接顔部の横方向の外側部分に、隆起部が位置していることから、外側部分のフィット性が向上するとともに、クッション性に優れて、使用者に違和感を与えるおそれはない。
【図面の簡単な説明】
【００１５】
図面は、本発明の特定の実施の形態を示し、発明の不可欠な構成ばかりではなく、選択的及び好ましい構成を含む。
【図１】スイミングゴーグルの斜視図。
【図２】スイミングゴーグルの正面図。
【図３】アイカップの分解斜視図。
【図４】図１のＶＩ線で囲んだ領域の拡大斜視図。
【図５】図１のＶ−Ｖ線に沿う断面図。
【図６】（ａ）パッド部材を下方から視た斜視図。（ｂ）低剛性域の拡大図。（ｃ）図６（ｂ）に示す、ＶＩ（ｃ）線に沿う断面図。
【図７】図２のＶＩＩ−ＶＩＩ線に沿う断面図。
【発明を実施するための形態】
【００１６】
本発明に係るスイミングゴーグル１０の詳細を添付の図面を参照して説明すると、以下のとおりである。下記の実施の形態は、図１〜図７に示すスイミングゴーグル１０に関し、発明の不可欠な構成ばかりではなく、選択的及び好ましい構成を含む。
【００１７】
図１及び図２を参照すると、スイミングゴーグル１０は、前後方向Ｆ，Ｒと、横方向Ｘと、一対のアイカップ１３を有するゴーグル本体１１と、ゴーグル本体１１の両側部を互いに連結するヘッドストラップ１２とを含む。アイカップ１３は、レンズ部材２０と、レンズ部材２０を前側から被覆するフレーム部材３０と、レンズ部材２０の後方に取り付けられたパッド部材４０とを含む。一対のアイカップ１３は、ノーズブリッジ１５を介して連結されている。
【００１８】
レンズ部材２０とフレーム部材３０とは、レンズ部材２０が透明又は半透明、フレーム部材３０が半透明又は不透明の硬質材料から形成されており、硬質材料としては、例えば、アクリル、ポリカーボネートなどのプラスチック材料を用いることができる。パッド部材４０とヘッドストラップ１２とは、ゴム弾性を有する比較的に柔軟なゴムや、シリコン、ポリウレタン等のプラスチック材料から形成することができる。
【００１９】
一対のアイカップ１３は、横方向Ｘの内側部（フレーム部材３０の内側部３２）に位置する取付孔３６にノーズブリッジ１５の端部に位置する係合爪（図示せず）を係合することによって互いに連結される。また、アイカップ１３の横方向Ｘにおける外側部（フレーム部材３０の外側部３３）には、ヘッドストラップ１２の一部を挿通するための挿通孔１６が位置している。ヘッドストラップ１２は、挿通孔１６に挿通されて後方Ｒへ延びる両側部分が、互いにアジャスター１８を介して長さ調整可能に連結されている。
【００２０】
図１〜４を参照すると、レンズ部材２０は、レンズ部２１と、レンズ部２１の外周縁から後方へ延びる後方周壁部２２と、後方周壁部２２の後周縁から外方へ延びるフランジ部２３とを有する。また、レンズ部２１の内側部は、後方周壁部２２よりも横方向Ｘの内側へ延出している。後方周壁部２２における、レンズ部２１の内側部の後方に位置する内側部には横方向Ｘの外側へ突出する係合爪２４が位置し、外側部には、横方向Ｘの外側へ突出する係合爪２５が位置している。さらに、フランジ部２３の後面には、その周方向において並ぶ、後方へ突出した複数の係合突起２６が位置する。図示例において、レンズ部２１は、横楕円状であるが、円形、涙目状、矩形等各種公知の形状を採用することができる。
【００２１】
フレーム部材３０は、外面が流線形状をなしており、レンズ部材２０とは別体であって、後方から挿入されたレンズ部材２０のレンズ部２１が露出する開口３１と、内側部３２と、挿通孔１６の位置する外側部３３と、レンズ部２１の上側縁から上方Ｙ１に延びる上方壁部３４と、レンズ部２１の下側縁から下方Ｙ２へ凸曲して張り出した下方壁部３５とを有する。内側部３２には、ノーズブリッジ１５の端部が嵌挿される取付孔３６と、横方向Ｘに開口して開口３１に連通し、かつ、レンズ部材２０の係合爪２４が係合される係合孔３７が位置している。また、外側部３３の後面には、レンズ部材２０の係合爪２５が係合される係合凹部３８が位置している。
【００２２】
図３〜５を参照すると、パッド部材４０は、円筒部４１と、円筒部４１の後方Ｒにおいてその外周縁から外方へ延出する、着用者の眼の周囲に水密に当接する環状の接顔部４２とを有する。パッド部材４０の円筒部４１は、その前方Ｆ側に位置する前側部分４３と、前側部分４３の後方Ｒに位置する後側部分４４と、横方向Ｘの内側に位置する内側部分４８と、レンズ部材２０の外側部分よりもさらに横方向Ｘの外側へ凸曲する外側部分４９とを有する。パッド部材４０の前側部分４３は、レンズ部材２０のフランジ部２３の上面と後面とを被覆した状態で、公知の接着手段又は溶着手段によって接合される。また、円筒部４１の後側部分４４の内周面には、レンズ部材２０のフランジ部２３の後面から後方へ突出する複数の係合突起２６が係合される、複数の係合凹部４５が位置している。
【００２３】
アイカップ１３を構成する各部材２０，３０，４０は、パッド部材４０の前側部分４３をレンズ部材２０のフランジ部２３の外周面を被覆するように接合した後に、レンズ部材２０の係合爪２４，２５をフレーム部材３０の係合孔３７と係合凹部３８とにそれぞれスナップ係合させることによって連結されている。パッド部材４０がレンズ部材２０に連結された状態において、円筒部４１の前面とレンズ部材２０のフランジ部２３の前面とは、ほぼ面一となる。また、円筒部４１の後側部分４４は、レンズ部材２０のフランジ部２３から後方へ延出しており、レンズ部材２０のフランジ部２３に接合された前側部分４３と接顔部４２との間に周方向へ延びる段差４７を形成している。本実施形態において、レンズ部材２０と、フレーム部材３０とは別体に形成されているが、後記の本発明に係る技術的効果を奏する限りにおいて、これらの部材２０，３０が一体に成形されていてもよい。
【００２４】
図５を参照すると、パッド部材４０の円筒部４１の後側部分４４において、上側部分４４Ａにおける厚さ寸法Ｗ１が、下側部分４４Ｂの厚さ寸法Ｗ２よりも小さくなっている。具体的には、上側部分４４Ａの厚さ寸法Ｗ１は、０．７〜１．２ｍｍであって、下側部分４４Ｂの厚さ寸法Ｗ２は、１．３〜１．８ｍｍである。後側部分４４の上側部分４４Ａは、接顔部４２における、着用者の眼窩の上縁（眉の位置する部分）に当接する上側部分４２Ａの付け根となる部分であるから、比較的に肉薄であっても顔面にフィットする。一方、後側部分４４の下側部分４４Ｂは、接顔部４２における、着用者の下眼瞼に当接する下側部分４２Ｂの付け根となる部分であるから、下側部分４４Ｂを比較的に肉厚にすることによって、着用者の眼の動き等によって動きやすいかかる部位に安定的にフィットさせて、水中で抵抗を受けても、ズレやブレを抑制することができる。また、このように、下側部分４４Ｂがずれて捲れたりすることがないので、硬質材料からなるフレーム３０の一部が直接顔面に当たることはない。
【００２５】
図６（ａ）及び図７を参照すると、パッド部材４０の接顔部４２の横方向Ｘの外側に位置する外側部分４９には、フレーム部材３０の外側部３３へ向かってドーム状に隆起する、隆起部（肉厚部又は高剛性域）５０が位置している。スイミングゴーグル１０の使用中において、特に、水抵抗が比較的に大きくなる競泳中において、横方向Ｘの外方へ張り出すような凸曲状の外側部分４９が比較的に肉薄の場合には、外側部分４９が水抵抗によって水中で捲れやすくなる。また、外側部分４９の近傍は、ゴーグル本体１３とヘッドストラップ１２との連結される部分であって、着用者の耳部が位置することから、ゴーグル本体１３及び／又はヘッドストラップ１２と顔面との間に隙間が生じやすくなる。本実施形態においては、パッド部材４０の外側部分４９に隆起部５０が位置することによって、比較的に肉厚となって、水中で水抵抗を受けても外側部分４９がずれたり捲れたりすることはなく、顔面にフィットした状態を維持することができる。また、隆起部５０は、接顔部４２の他の部分に比べて肉厚であってクッション性に富むので、硬質材料から形成されたフレーム部材３０の外側部３３の肌当たりが良好になり、着用者に違和感を与えることはない。特に、隆起部５０が、前方へ凸となるドーム形状を有し、かつその全体又は一部がフレーム部材３０の外側部３３と離間対向していることから、外側部３３にその頂点近傍が当接してクッション性を発揮するとともに、頂点から全方位的に広がる基端部側において外側部３３によって押圧される力が分散されるので、より効果的にクッション性を発揮しうる。
【００２６】
図４及び図６（ａ），（ｂ）を参照すると、パッド部材４０の接顔部４２の横方向Ｘの外側に位置する内側部分４８には、接顔部４２の周方向へ互いに間隔を空けて並ぶ、複数の凹部６１から形成された低剛性域６０が位置している。パッド部材４０の内側部分４８は、着用者の鼻骨の内側に当接される部分であって、鼻骨の形状は着用者ごとに異なるものであることから、内側部分４８の剛性が比較的に高い場合には、それぞれの着用者の鼻骨に沿うように変形させることができず、フィット性が低下するおそれがある。本実施形態においては、パッド部材４０の内側部分４８に低剛性域６０を設けることによって、様々な形状の鼻骨に沿うように変形させて、フィットさせることができる。
【００２７】
接顔部４２においては、鼻骨に当接される内側部分４８以外の部分では、身体に安定的にフィットさせるために所要の剛性を有することが好ましく、低剛性域６０は、接顔部４２の全周ではなく、内側部分４８にのみ配置されていることが好ましい。また、低剛性域６０は、その全体または大部分が、内側部分４８において、パッド部材４０の上下方向Ｙ１，Ｙ２の寸法を２等分する横断中心線Ｑ（図３参照）よりも下方に位置していることが好ましい。内側部分４８のうちの横断中心線Ｑよりも上方の部分は、鼻骨から遠ざかる方向へ湾曲して延びる部分であるから、鼻骨の形状に沿って変形させる必要がなく、むしろ、比較的に剛性をもたせて顔面からずれないようにフィットさせることが好ましいからである。
【００２８】
低剛性域６０を形成する複数のドット状の凹部６１は、低剛性域６０の中心側に位置する凹部６１ａから上下方向Ｙ１，Ｙ２へ向かうにつれて次第に面積が小さくなっている。このように、低剛性域６０の中心に位置する凹部６１ａの面積を他の凹部６１に比べて大きくすることによって、中心から次第に変形量を小さくすることができ、低剛性域６０と他の部分との変形量の大きな違いによる内側部分４８の浮き上りやズレを抑制することができる。凹部６１は、円形状のほかに、ライン状、三角形状、菱形状等の各種公知の形状を採用することができる。ただし、凹部６１が円形状を有することによって、応力が全方位的に均等に分散されるので、低剛性域６０の浮き上がりやズレを効果的に抑制することができる。また、低剛性域６０においては、凹部６１が接顔部４２の周方向へ連続的に延びておらず、本実施形態ように、複数の凹部６１が間隔を空けて配置されていることが好ましい。凹部６１がかかる配置態様を有することによって、凹部６１と凹部６１が形成されていない部分とが接顔部４２の周方向へ交互に位置するので、低剛性域６０の浮き上りを抑制し、鼻骨に沿う変形とフィット性との両方を実現することができる。
【００２９】
また、低剛性域６０（又は複数の凹部６１）と内側部分４８の内側縁４８ａとは、所与寸法離間していることが好ましい。低剛性域６０と内側縁４８ａの離間距離が比較的に小さい場合には、パッド部材４０が衝撃を受けたとき等に、内側縁４８ａの近傍が切れやすくなるので、低剛性域６０と内側縁４８ａとの離間寸法Ｌは、１．０ｍｍ以上であることが好ましい。
【００３０】
なお、スイミングゴーグル１０を構成する各構成部材には、特に明記されていない限りにおいて、本明細書に記載されている材料のほかに、この種の分野において通常用いられている、各種公知の材料を制限なく用いることができる。
【符号の説明】
【００３１】
１０  スイミングゴーグル
１１  ゴーグル本体
２０  レンズ部材
２１  レンズ部
２２  後方周壁部
２３  フランジ部
３０  フレーム部材
４０  パッド部材
４１  円筒部
４３  円筒部の前側部分
４４  円筒部の後側部分
４４Ａ  後側部分の上側部位
４４Ｂ  後側部分の下側部位
４２  接顔部
４８  接顔部の内側部分
４９  接顔部の外側部分
５０  隆起部
６０  低剛性域
６１  凹部
６１ａ  凹部
Ｆ  前方
Ｒ  後方
Ｘ  横方向
Ｗ１  後側部分の上側部位の厚さ寸法
Ｗ２  後側部分の下側部位の厚さ寸法
【図１】
0006450335.tif 000002
【図２】
0006450335.tif 000003
【図３】
0006450335.tif 000004
【図４】
0006450335.tif 000005
【図５】
0006450335.tif 000006
【図６】
0006450335.tif 000007
【図７】
0006450335.tif 000008